(57)【要約】【課題】電波の検出が必要な場所へ移動した場合にのみ置き忘れや迷子、盗難をアラームするシステムを提供する。【解決手段】無線アクセスポイント３から送信される電波を受信した紛失防止端末１は、電波の情報から無線アクセスポイントＩＤを生成し、無線アクセスポイント登録部１０２に登録されている無線アクセスポイントＩＤと一致するか比較する。比較した結果、一致していなかった場合、存在通知電波送信ＯＮ／ＯＦＦ要求送信部１０４より存在通知電波送信装置２に存在通知電波送信ＯＮ要求を送信し、定期的に存在通知電波送信装置２が送信した存在通知電波を受信しているか存在通知電波検出部１０５により監視を行う。そして、定期的に存在通知電波の受信が確認できなくなった場合、アラーム表示部１０６によりアラームの表示を行う。【選択図】図１
2015154123.tif 000002
【特許請求の範囲】
【請求項１】
予め定められた所定の存在通知電波を検出していない場合に所定の物品の紛失の可能性をアラームする端末であって、
前記物品に装着され前記物品の存在を通知する前記存在通知電波を送信する存在通知電波送信装置が送信する前記存在通知電波を検出する存在通知電波検出手段と、
所定の場所に設置され所定のエリアに所定の電波を送信する所定の装置が送信する前記所定の電波を検出する所定電波検出手段と、を有し、
前記所定の電波を検出している場合に前記存在通知電波を検出しているか否かに関わらず前記アラームを表示せず、
前記所定電波検出手段が前記所定の電波を検出していない状態で前記存在通知電波を検出しない場合に前記アラームを表示することを特徴とするアラーム自動制御機能を有する紛失防止端末。
【発明の詳細な説明】
【技術分野】
【０００１】
本発明は、置き忘れや迷子、盗難等を防止する技術に関する。
【背景技術】
【０００２】
特許文献１には、置き忘れや迷子、盗難を防止する技術として電波を送信する子機を子供に持たせ、或いは所持品に装着させ、携帯電話機はこの子機から送信される電波を検出し、子機から検出した電波の電波強度が一定値以下になるとアラーム表示し、子供が離れたこと、或いは所持品が身から離れたことを報知する技術が開示されている。
【先行技術文献】
【特許文献】
【０００３】
【特許文献１】特開２０００−２８７２６５号公報
【発明の概要】
【発明が解決しようとする課題】
【０００４】
しかしながら、特許文献１の技術では、電波の検出が不要である場所（例えば、自宅や職場）について配慮されていない。例えば、自宅の鍵に子機を装着した場合、自宅に到着し鍵を開錠後に保管場所に置き、携帯電話が鍵から離れるとアラームが表示されてしまう。
【０００５】
本発明は上記課題に鑑みてなされたものであり、本発明の課題は、電波の検出が必要な場所へ移動した場合にのみ置き忘れや迷子、盗難をアラームするシステムを提供することにある。
【課題を解決するための手段】
【０００６】
上記課題を解決するために、本発明は、予め定められた所定の存在通知電波を検出していない場合に所定の物品の紛失の可能性をアラームする端末であって、前記物品に装着され前記物品の存在を通知する前記存在通知電波を送信する存在通知電波送信装置が送信する前記存在通知電波を検出する存在通知電波検出手段と、所定の場所に設置され所定のエリアに所定の電波を送信する所定の装置が送信する前記所定の電波を検出する所定電波検出手段と、を有し、前記所定の電波を検出している場合に前記存在通知電波を検出しているか否かに関わらず前記アラームを表示せず、前記所定電波検出手段が前記所定の電波を検出していない状態で前記存在通知電波を検出しない場合に前記アラームを表示することを特徴とする。
【発明の効果】
【０００７】
本発明によれば、置き忘れや迷子、盗難の防止機能において不要な場所でのアラーム表示を防止することが出来る。
【図面の簡単な説明】
【０００８】
【図１】図１は、本発明の一実施の形態に係るブロック構成図である。
【図２】図２は、本発明の一実施の形態に係る紛失防止携帯端末のフローチャート図である。
【発明を実施するための形態】
【０００９】
以下に、本発明の一実施の形態について説明する。
【００１０】
図１は、本発明に係る実施形態のブロック構成図である。
【００１１】
図１は、ユーザが携帯する携帯端末である紛失防止端末１と、置き忘れを防止したい所持品に装着する存在通知電波送信装置２と無線アクセスポイント３とから構成される。
【００１２】
図１において、紛失防止端末１（以下、本装置と呼称する）は、本装置の制御全般を行う主制御部１００と、屋内又は屋外に設置された無線アクセスポイント３が送信する電波（例えば、無線ＬＡＮ（Ｌｏｃａｌ  Ａｒｅａ  Ｎｅｔｗｏｒｋ）におけるビーコン信号）を検出し、検出した電波から当該電波を送信した送信元のＩＤを含む無線アクセスポイントＩＤ（例えば、ＳＳＩＤ（Ｓｅｒｖｉｃｅ  Ｓｅｔ  Ｉｄｅｎｔｉｆｉｅｒ））を主制御部１００に渡す無線アクセスポイント検出部１０１と、主制御部１００を介してユーザによって予め登録された無線アクセスポイントＩＤを記憶する無線アクセスポイント登録部１０２と、無線アクセスポイント検出部１０１が検出した無線アクセスポイントＩＤが無線アクセスポイント登録部１０２に登録された無線アクセスポイントＩＤか否か判定し、判定結果を主制御部１００へ渡す無線アクセスポイント判定部１０３と、存在通知電波の送信の開始又は停止の要求を存在通知電波送信装置２に送信する存在通知電波送信ＯＮ／ＯＦＦ要求送信部１０４と、前記存在通知電波送信装置２から送信される存在通知電波を検出し、存在通知電波を検出したことを主制御部１００に通知する存在通知電波検出部１０５と、所持品を置き忘れたことをユーザにアラームするアラーム表示部１０６と、から構成される。
【００１３】
主制御部１００は、無線アクセスポイント判定部１０３から登録された無線アクセスポイントＩＤと一致である旨の判定結果を受信すると、存在通知電波送信ＯＮ／ＯＦＦ要求送信部１０４に存在通知電波送信ＯＦＦ要求の送信を要求する。主制御部１００は、無線アクセスポイント判定部１０３から登録された無線アクセスポイントＩＤと不一致である旨の判定結果を受信すると、存在通知電波送信ＯＮ／ＯＦＦ要求送信部１０４に存在通知電波送信ＯＮ要求の送信を要求する。
【００１４】
また、主制御部１００は、存在通知電波送信ＯＮ要求の送信を要求後、定期的に存在通知電波検出部１０５から存在通知電波を検出した旨を一定時間通知されなければ、アラーム表示部１０６にアラーム表示の要求を送信する。
【００１５】
また、主制御部１００は、アラーム表示中に存在通知電波検出部１０５が存在通知電波を検出した場合、アラーム表示部１０６にアラーム表示停止の要求を送信する。
【００１６】
図１において、存在通知電波送信装置２は、前記存在通知電波送信装置２の全般を制御する主制御部２００と、本装置から通知された存在通知電波送信ＯＮ又はＯＦＦ要求を受信する存在通知電波送信ＯＮ／ＯＦＦ要求受信部２０１と、本装置に存在通知電波の送信を行う存在通知電波送信部２０２から構成される。主制御部２００は、前記存在通知電波送信装置２の全般を制御すると共に、存在通知電波送信ＯＮ／ＯＦＦ要求受信部２０１が受信した要求に基づき、存在通知電波送信部２０２に存在通知電波送信ＯＮ要求或いは存在通知電波送信ＯＦＦ要求を送信する。
【００１７】
図２は本装置の形態に係る動作フローチャートであり、図１および図２を併用して本装置の動作を説明する。本装置の電源が投入された状態で本フローはスタートする（Ｓ１００）。
【００１８】
本装置は、一定時間毎に、登録済みの無線アクセスポイントＩＤの電波検出の有無（Ｓ１０１）を監視している。
【００１９】
無線アクセスポイント検出部１０１が検出した無線アクセスポイントＩＤが、無線アクセスポイント登録部１０２に登録されている無線アクセスポイントＩＤと一致する場合（Ｓ１０１，ＹＥＳ）現在アラーム表示中でなければ（Ｓ１０２，ＮＯ）存在通知電波送信ＯＦＦ要求の送信（Ｓ１０３）を行い、ステップ１０１に戻り、アラーム表示中であれば（Ｓ１０２，ＹＥＳ）存在通知電波送信ＯＮ要求の送信（Ｓ１０４）を行う。
【００２０】
一方、無線アクセスポイント検出部１０１が検出した無線アクセスポイントＩＤが、無線アクセスポイント登録部１０２に登録されている無線アクセスポイントＩＤと一致しない場合（Ｓ１０１，ＮＯ）存在通知電波送信ＯＮ要求の送信（Ｓ１０４）を行う。
【００２１】
存在通知電波送信ＯＮ要求を送信した場合（Ｓ１０４）存在通知電波の検出を監視し（Ｓ１０５）検出出来た場合（Ｓ１０５，ＹＥＳ）アラームタイマの停止（Ｓ１０６）を行った後、アラームの表示を停止（Ｓ１０７）し、ステップ１０１に戻る。
【００２２】
一方、存在通知電波を検出出来なかった場合は（Ｓ１０５，ＮＯ）アラームタイマが既に起動中でなければ（Ｓ１０８，ＮＯ）アラームタイマをスタート（Ｓ１０９）し、アラームタイマが既に起動中であれば（１０８，ＹＥＳ）アラームタイマのスタートは行わない。
【００２３】
アラームタイマがタイムアウトしたか否か監視（Ｓ１１０）を行った後、タイムアウト済みであれば（Ｓ１１０，ＹＥＳ）アラームの表示（Ｓ１１１）を行い、ステップ１０１に戻る。
【００２４】
一方、タイムアウト済みでなければ（Ｓ１１０，ＮＯ）アラームの表示は行わず、ステップ１０１に戻る。
【００２５】
尚、本実施例では、説明を簡単にするために紛失防止端末１、存在通知電波送信装置２、無線アクセスポイント３を１台ずつの構成で説明したが本願はこれに限定せず、それぞれ何台でもあってもよい。
【００２６】
尚、本実施例では、存在通知電波検出部１０５が存在通知電波を検出した旨を一定時間通知されなければ、アラーム表示部１０６にアラーム表示の要求を送信すると説明したが、本願はこれに限定しない。例えば、存在通知電波検出部１０５が検出した電波強度を測定し、その強度が一定値以下である場合に、アラーム表示部１０６にアラーム表示の要求を送信するようにしてもよい。
【００２７】
尚、本実施例では、アラーム表示中に存在通知電波検出部１０５が存在通知電波を検出した場合、アラーム表示部１０６にアラーム表示停止の要求を送信すると説明したが本願はこれに限定しない。例えば、アラーム表示中に存在通知電波検出部１０５が存在通知電波を検出した場合、検出した電波の強度を測定し、その強度が一定値以上である場合に、アラーム表示停止の要求を送信するようにしてもよい。或いはアラーム表示から一定時間経過後にアラーム表示停止の要求を送信するようにしてもよい。
【００２８】
尚、本実施例では、アラーム表示中に置き忘れや迷子、盗難の防止機能において不要な場所（例えば、自宅や職場）に移動した場合にアラーム表示が停止となるのを考慮し、アラーム表示中に無線アクセスポイント判定部１０３から通知された無線アクセスポイントＩＤの判定結果が一致となった場合、存在通知電波送信ＯＮ／ＯＦＦ要求送信部１０４に存在通知電波送信ＯＦＦ要求の送信を要求せず、アラーム表示も継続するが、本願はこれに限定しない。例えば、アラーム表示中に無線アクセスポイント判定部１０３から通知された無線アクセスポイントＩＤの判定結果が一致となった場合、存在通知電波送信ＯＮ／ＯＦＦ要求送信部１０４に存在通知電波送信ＯＦＦ要求の送信を要求し、アラーム表示を停止させるようにしてもよい。
【符号の説明】
【００２９】
１・・・紛失防止端末
２・・・存在通知電波送信装置
３・・・無線アクセスポイント
１００・・・主制御部
１０１・・・無線アクセスポイント検出部
１０２・・・無線アクセスポイント登録部
１０３・・・無線アクセスポイント判定部
１０４・・・存在通知電波送信ＯＮ／ＯＦＦ要求送信部
１０５・・・存在通知電波検出部
１０６・・・アラーム表示部
２００・・・主制御部
２０１・・・存在通知電波送信ＯＮ／ＯＦＦ要求受信部
２０２・・・存在通知電波送信部
【図１】
2015154123.tif 000003
【図２】
2015154123.tif 000004